(57)【要約】【課題】効率的な構成によって複数の画像プレーンを異なる組み合わせで合成して生成した異なる画像を複数の表示装置に表示する「表示処理装置」を提供する。【解決手段】カーナビゲーションアプリケーション１２は、第１プレーンメモリ１６に道案内用画像プレーンを書き込むと共に、第２プレーンメモリ１７にナビゲーションメニュー画像プレーンを書き込む。音量コントロールアプリケーション１３は、第３プレーンメモリ１８にボリューム表示画像プレーンを書き込み、テレビジョンアプリケーション１４は、第４プレーンメモリ１９にテレビジョン画像プレーンを書き込む。第１合成回路２０１は、第１、第２、第３プレーンメモリ１６、１７、１８に格納された３つの画像プレーンを合成してフロントディスプレイ３に表示し、第２合成回路２０２は、第３、第４プレーンメモリ１８、１９に格納された二つの画像プレーンを合成して、リアディスプレイ４に表示する。【選択図】図１
2008026450.tif 000002
【特許請求の範囲】
【請求項１】
各々画像を格納する複数の画像メモリと、
複数の合成回路と、
合成制御手段とを有し、
前記複数の合成回路の各々は、前記複数の画像メモリの内から当該合成回路に対して合成対象画像メモリとして設定された１または複数の画像メモリに格納された画像を合成して出力し、
前記合成制御手段は、前記複数の合成回路の各々に対して、独立に、前記合成対象画像メモリを設定することを特徴とする表示処理装置。
【請求項２】
請求項１記載の表示処理装置を備えた表示システムであって、
前記複数の画像メモリに画像を各々格納する１または複数の画像ソース装置と、
前記複数の合成回路の各々に対応して設けられた、対応する合成回路が出力した画像を表示する複数の表示装置とを有することを特徴とする表示システム。
【請求項３】
請求項１記載の表示処理装置を備えた表示システムであって、
前記複数の画像メモリに画像を各々格納する１または複数の画像ソース装置と、
前記複数の合成回路が出力した複数の画像を同時に表示する表示装置とを有することを特徴とする表示システム。
【発明の詳細な説明】
【技術分野】
【０００１】
本発明は、複数の画像を合成して表示する技術に関するものである。
【背景技術】
【０００２】
複数の画像を合成して表示する技術としては、複数の画像メモリを備え、各画像メモリに各々格納された複数の画像を合成して出力する画像合成回路が知られている（たとえば、特許文献１）。
【特許文献１】特開平7-73287号公報
【発明の開示】
【発明が解決しようとする課題】
【０００３】
さて、自動車に搭載されるＡＶシステムでは、前席のユーザ用と後席のユーザ用にそれぞれ表示装置が設けられることがある。そして、このような複数の表示装置を備えたＡＶシステムにおいて、複数の画像を異なる組み合わせで合成して生成した異なる画像を各表示装置に表示する場合に、前記特許文献１記載の技術を適用すると、複数の画像メモリを備えた画像合成回路を、表示装置毎にそれぞれ備える必要が生じ、ＡＶシステムに必要なメモリが比較的大規模化してしまうことになる。
【０００４】
そこで、本発明は、複数の表示装置を備えた表示システムにおいて、より効率的な構成によって、各表示装置に、複数の画面を異なる組み合わせで合成して生成した異なる画像を表示することを課題とする。
【課題を解決するための手段】
【０００５】
前記課題達成のために、本発明は、各々画像を格納する複数の画像メモリと、複数の合成回路と、合成制御手段と備えた表示処理装置を提供する。ただし、前記複数の合成回路の各々は、前記複数の画像メモリの内から当該合成回路に対して合成対象画像メモリとして設定された１または複数の画像メモリに格納された画像を合成して出力し、前記合成制御手段は、前記複数の合成回路の各々に対して、独立に、前記合成対象画像メモリを設定する。
【０００６】
このような表示処理装置によれば、複数の画像メモリに格納された画像を合成して出力する合成回路を複数備えると共に、各合成回路で合成に用いる画像を独立に設定できるようにしたので、複数の合成回路について、合成の元となる画像の格納に用いる複数の画像メモリを共用しつつ、複数の画像を異なる組み合わせで合成した複数の画像を生成することができる。
【０００７】
よって、このような表示処理装置を用いて複数の表示装置の表示を行うようにすれば、各表示装置について複数の画像メモリを合成の元となる画像の格納に共用しつつ、各表示装置に複数の画像を異なる組み合わせで合成して生成した異なる画像を表示することができる。したがって、従来よりも、効率的な構成によって、各表示装置に、複数の画面を異なる組み合わせで合成して生成した異なる画像を表示することができるようになる。
【０００８】
すなわち、このような表示処理装置を用いた表示システムは、前記複数の画像メモリに画像を各々格納する１または複数の画像ソース装置と、前記複数の合成回路の各々に対応して設けられた、対応する合成回路が出力した画像を表示する複数の表示装置と含めて構成することができる。
【０００９】
または、このような表示処理装置を用いて、前記複数の画像メモリに画像を各々格納する１または複数の画像ソース装置と、前記複数の合成回路が出力した複数の画像を同時に表示する表示装置とより表示システムを構成することもできる。
【発明の効果】
【００１０】
以上のように、本発明によれば、複数の表示装置を備えた表示システムにおいて、より効率的な構成によって、各表示装置に、複数の画面を合成して生成した異なる画像を表示することができるようになる。
【発明を実施するための最良の形態】
【００１１】
以下、本発明の実施形態について、自動車に搭載されるＡＶシステムへの適用を例にとり説明する。
図１に、本実施形態に係るＡＶシステムの構成を示す。
図示するように、ＡＶシステムは、メインユニット１と、自動車の前席のユーザの操作を受け付ける入力装置２と、自動車の前席のユーザ用の表示装置であるフロントディスプレイ３と、自動車の後席のユーザ用の表示装置であるリアディスプレイ４と、スピーカ５と、地図データを記憶した外部記憶装置６と、ＴＶ受信機７などを備えて構成される。
【００１２】
また、メインユニット１は、オペレーティングシステム１１と、オペレーティングシステム１１の機能を利用しながら稼働する複数のアプリケーションと、第１プレーンメモリ１６、第２プレーンメモリ１７、第３プレーンメモリ１８、第４プレーンメモリ１９、フロントディスプレイ３とリアディスプレイ４に対して表示する画像の出力を行う表示制御部２０、スピーカ５に対する音声の出力を処理する音声出力部２１とを有している。ここで、第１プレーンメモリ１６、第２プレーンメモリ１７、第３プレーンメモリ１８、第４プレーンメモリ１９には、各々１つの画像プレーンを保持することができる。なお、画像プレーンとは、１つの画像レイヤを指し、１または複数の画像レイヤよりアプリケーションの出力画面は形成される。
【００１３】
ここで、ＡＶシステムは、前述したオペレーティングシステム１１の機能を利用しながら稼働する複数のアプリケーションとして、外部記憶装置６に記憶された地図データを用いて、ユーザに対する道案内を行うカーナビゲーションアプリケーション１２や、音声出力部２１からスピーカ５に出力する音声の音量の制御を行う音量コントロールアプリケーション１３や、ＴＶ受信機７の受信動作の制御やＴＶ受信機７で受信した番組の出力処理を行うテレビジョンアプリケーション１４や、各アプリケーションの出力する画像プレーンや出力音声の出力形態を各アプリケーションの稼働状況や入力装置２を介したユーザからの設定に応じて制御するモードコントロールアプリケーション１５などを備える。なお、オペレーティングシステム１１や各アプリケーションは、メインユニット１のソフトウエアの実行によって実現されるものであってもよく、この場合には、メインユニット１にソフトウエアを実行するＣＰＵと、その周辺回路を備えるようにする。
【００１４】
そして、オペレーティングシステム１１は、これらの各アプリケーションの、入力装置２や第１プレーンメモリ１６や第２プレーンメモリ１７や第３プレーンメモリ１８や第４プレーンメモリ１９や音声出力部２１や外部記憶装置６やＴＶ受信機７や他アプリケーションとの間の入出力を仲介する
また、表示制御部２０は、第１プレーンメモリ１６と第２プレーンメモリ１７と第３プレーンメモリ１８と第４プレーンメモリ１９に各々格納された画像プレーンを合成する第１合成回路２０１と第２合成回路２０２と、第１プレーンメモリ１６と第２プレーンメモリ１７と第３プレーンメモリ１８と第４プレーンメモリ１９に各々格納された画像プレーンの読み出しと、第１合成回路２０１における合成の形態と、第２合成回路２０２における合成の形態を制御する制御部２０３とを備えている。
【００１５】
このような構成において、画像の出力を行うアプリケーションは、起動するとモードコントロールアプリケーション１５にプレーンメモリの割り当てを要求する。プレーンメモリの割り当てを要求されたモードコントロールアプリケーション１５は、第１プレーンメモリ１６と第２プレーンメモリ１７と第３プレーンメモリ１８と第４プレーンメモリ１９のうちの未割り当てのプレーンメモリを、要求元のアプリケーションに割り当てる。プレーンメモリの割り当てを受けたアプリケーションは、モードコントロールアプリケーション１５から割り当てられたプレーンメモリに出力画面の画像プレーンを書き込むと共に、音声出力部２１に出力音声の音声データを出力する。ここで、各アプリケーションは、出力画面を１画像プレーンから構成して出力することもできるし、出力画面を複数の画像プレーンから構成して出力することもできる。そして、各アプリケーションは、出力画面を１画像プレーンから構成して出力する場合には、起動時に、モードコントロールアプリケーション１５に１つのプレーンメモリの割り当てを要求し、割り当てられたプレーンメモリに出力画面を構成する画像プレーンを書き込む。一方、各アプリケーションは、出力画面を複数の画像プレーンから構成して出力する場合には、起動時に、モードコントロールアプリケーション１５に出力画面を構成する画像プレーン分のプレーンメモリの割り当てを要求し、割り当てられた各プレーンメモリの各々に出力画面を構成する各画像プレーンを書き込む。
【００１６】
次に、モードコントロールアプリケーション１５は、各アプリケーションの稼働状況と入力装置２を介して予めユーザから設定された表示モードと予め定めた規則に従って、どのプレーンメモリの画像プレーンをどのように合成してフロントディスプレイ３の表示画面を構成するかをフロントディスプレイ合成形態設定として算定し、どのプレーンメモリの画像プレーンをどのように合成してリアディスプレイ４の表示画面を構成するかをリアディスプレイ合成形態設定として算定する。そして、表示制御部２０の制御部２０３に、フロントディスプレイ合成形態設定とリアディスプレイ合成形態設定を設定する。一方、表示制御部２０の制御部２０３は、モードコントロールアプリケーション１５から設定されたフロントディスプレイ合成形態設定で各プレーンメモリに格納された画像プレーンを合成してフロントディスプレイ３に出力するように第１合成回路２０１を制御し、モードコントロールアプリケーション１５から設定されたリアディスプレイ合成形態設定で各プレーンメモリに格納された画像プレーンを合成してリアディスプレイ４に出力するように第２合成回路２０２を制御する。
【００１７】
また、モードコントロールアプリケーション１５は、各アプリケーションの稼働状況と入力装置２を介して予めユーザから設定された表示モードと予め定めた規則に従って、稼働中の各アプリケーションの出力音声をどのように合成してスピーカ５に出力するかを音声合成形態設定として算定し、算定した音声合成形態設定を音声出力部２１に設定する。そして、音声出力部２１は設定された音声合成形態設定に従った形態で、各アプリケーションの出力音声を合成しスピーカ５に出力する。
【００１８】
また、モードコントロールアプリケーション１５は、アプリケーション終了時に、終了したアプリケーションに割り当てていたプレーンメモリを、未割り当てに解放し、アプリケーション終了後のアプリケーション稼働状況等に応じて、表示制御部２０の制御部２０３に設定するフロントディスプレイ合成形態設定やリアディスプレイ合成形態設定や、音声出力部２１に設定する音声合成形態設定を更新する処理も行う。
【００１９】
ここで、このようなＡＶシステムにおける、フロントディスプレイ３のリアディスプレイ４の表示例を図２示す。
図２は、カーナビゲーションアプリケーション１２と音量コントロールアプリケーション１３とテレビジョンアプリケーション１４が稼働している場合のＡＶシステムの動作例を示すものである。
図示した例では、カーナビゲーションアプリケーション１２は、図３に示すように地図上で現在位置や目的地までのルートを表した道案内画像プレーンａ１と、図３に示すようにユーザから各種操作を受け付けるためのボタンを表したナビゲーションメニュー画像プレーンａ２とから出力画面を構成し、モードコントロールアプリケーション１５から第１プレーンメモリ１６と第２プレーンメモリ１７との二つのプレーンメモリの割り当てを受け、第１プレーンメモリ１６に道案内用画像プレーンａ１を、第２プレーンメモリ１７にナビゲーションメニュー画像プレーンａ２を書き込む。
【００２０】
また、音量コントロールアプリケーション１３は、図３に示すように、音量出力部の現在のボリューム設定値とボリューム設定値の変更を受け付けるボタンを表したボリューム表示画像プレーンａ３のみから出力画面を構成し、モードコントロールアプリケーション１５から第３プレーンメモリ１８の割り当てを受け、第３プレーンメモリ１８にボリューム表示画像プレーンａ３を書き込む。
【００２１】
一方、テレビジョンアプリケーション１４は、図３に示すように、ＴＶ受信機７で受信した映像を表すテレビジョン画像プレーンａ４のみから出力画面を構成し、モードコントロールアプリケーション１５から第４プレーンメモリ１９の割り当てを受け、第４プレーンメモリ１９にテレビジョン画像プレーンａ４を書き込む。
【００２２】
そして、第１合成回路２０１は、モードコントロールアプリケーション１５からの設定に応じて制御部２０３が行う制御に従って、第１プレーンメモリ１６に格納された道案内用画像プレーンａ１と、第２プレーンメモリ１７に格納されたナビゲーションメニュー画像プレーンａ２と、第３プレーンメモリ１８に格納されたボリューム表示画像プレーンａ３を合成して、図３に示す表示画面ｂ１を構成し、フロントディスプレイ３に表示する。
【００２３】
一方、第２合成回路２０２は、モードコントロールアプリケーション１５からの設定に応じて制御部２０３が行う制御に従って、第３プレーンメモリ１８に格納されたボリューム表示画像プレーンａ３と、第４プレーンメモリ１９に格納されたテレビジョン画像プレーンａ４を合成して、図３に示す表示画面ｂ２を構成し、リアディスプレイ４に表示する。
【００２４】
以上、本発明の実施形態について説明した。
以上のように、本実施形態によれば、複数のプレーンメモリに格納された画像を合成して出力する合成回路を二つ備えると共に、各合成回路で合成に用いる画像プレーンを独立に設定できるようにしたので、各合成回路について、画像プレーンの格納に用いるプレーンメモリを共用しつつ、複数の画像プレーンを異なる組み合わせで合成した２つの表示画面を生成することができる。
【００２５】
よって、フロントディスプレイ３とリアディスプレイ４について複数のプレーンメモリを画像プレーンの格納に共用しつつ、フロントディスプレイ３とリアディスプレイ４の各々に、複数の画像プレーンをディスプレイ毎に任意の組み合わせで合成して生成した表示画面を表示することができる。
【００２６】
ところで、以上の実施形態では、フロントディスプレイ３とリアディスプレイ４との２つのの表示装置を用いる場合について説明したが、本実施形態は、異なる２方向から異なる画像が視認されるように二つの画像を同時に表示可能な２画像同時表示ディスプレイを用いる場合についても同様に適用することができる。
【００２７】
すなわち、この場合には、たとえば、図４に示すように、フロントディスプレイ３とリアディスプレイ４に代えて備えた２画像同時表示ディスプレイ８用のディスプレイコントローラ２２において、表示制御部２０から出力される二つの画像を、２画像同時表示ディスプレイ８に同時に表示する二つの画像として処理すればよい。
【００２８】
また、本実施形態では、フロントディスプレイ３とリアディスプレイ４との２つの表示装置を用いる場合について示したが、本実施形態は３以上の表示装置を用いる場合にも、表示制御部２０に表示装置分の合成回路を備えることにより、同様に適用することができる。
【図面の簡単な説明】
【００２９】
【図１】本発明の実施形態に係るＡＶシステムの構成を示すブロック図である。
【図２】本発明の実施形態に係るＡＶシステムの表示動作例を示す図である。
【図３】本発明の実施形態に係るＡＶシステムの表示動作例を示す図である。
【図４】本発明の実施形態に係るＡＶシステムの他の構成例を示すブロック図である。
【符号の説明】
【００３０】
１…メインユニット、２…入力装置、３…フロントディスプレイ、４…リアディスプレイ、５…スピーカ、６…外部記憶装置、７…ＴＶ受信機、８…２画像同時表示ディスプレイ、１１…オペレーティングシステム、１２…カーナビゲーションアプリケーション、１３…音量コントロールアプリケーション、１４…テレビジョンアプリケーション、１５…モードコントロールアプリケーション、１６…第１プレーンメモリ、１７…第２プレーンメモリ、１８…第３プレーンメモリ、１９…第４プレーンメモリ、２０…表示制御部、２１…音声出力部、２２…ディスプレイコントローラ、２０１…第１合成回路、２０２…第２合成回路、２０３…制御部。
【図１】
2008026450.tif 000003
【図２】
2008026450.tif 000004
【図３】
2008026450.tif 000005
【図４】
2008026450.tif 000006